(57)【要約】  たばこ容器を提供する。たばこ容器は、蓋と容器本体とライナーの形態の挿入物とを含む。ライナーは、蓋を容器本体に開放可能に結合する。蓋と容器本体の各々はライナーを受容し、ライナーに結合する。ライナーは、ライナーが容器本体に結合されるとき変形させられる圧縮へらを含むことができる。ライナーは、容器本体と蓋とを互いに接触させることなく一体に結合する。
2011527271.tif 000002
【特許請求の範囲】
【請求項１】
蓋と；
容器本体と；
前記蓋を前記容器本体に開放可能に結合するライナーとを備え；
前記蓋と前記容器本体の各々は、前記ライナーを受容するとともに前記ライナーに結合する；
たばこ容器。
【請求項２】
前記ライナーは、前記蓋および前記容器本体に無関係にその形状を維持しようとする自立支持構造である；
請求項１のたばこ容器。
【請求項３】
前記ライナーは、カップ状であるとともに、第１底壁と、第１キャビティを形成する前記第１底壁の第１の面から延びる環状の第１側壁とを含み；
前記容器本体は、カップ状であるとともに、第２底壁と、第２キャビティを形成する前記第２底壁から延びる環状の第２側壁とを含み；
前記第２キャビティは、前記ライナーの、前記第１底壁と前記第１側壁の下部とを受容し；
前記蓋は、カップ状であるとともに、上壁と、第３キャビティを形成する前記上壁から延びる環状の第３側壁とを含み；
前記第３キャビティは、前記ライナーの前記第１側壁の上部を受容する；
請求項１のたばこ容器。
【請求項４】
前記第１および第２側壁は、前記容器本体を前記ライナーに結合するための第１の協働係止配置を有し；
前記第１および第３側壁は、前記蓋を前記ライナーに開放可能に結合するための第２の協働係止配置を有する；
請求項３のたばこ容器。
【請求項５】
前記第１の面の反対側の、前記第１底壁の第２の面から延びる圧縮へりを更に含み；
前記圧縮へりは、前記ライナーが前記容器本体に結合される際に、前記第２底壁に対して軸方向に付勢されて変形する；
請求項３のたばこ容器。
【請求項６】
前記圧縮へりは、略環状であり、角度をつけて隔てられた複数のへり部分によって形成される；
請求項５のたばこ容器。
【請求項７】
前記第２底壁は、前記第２側壁から半径方向内側に凹領域を含み；
前記圧縮へりは、略環状であるとともに空間を画成し；
前記凹領域は、前記空間内に拡がる；
請求項５のたばこ容器。
【請求項８】
前記上部の半径方向の外面は、前記下部の半径方向の外面を越えて半径方向外側に延在する；
請求項３のたばこ容器。
【請求項９】
前記蓋が前記ライナーに固定されるとき、前記蓋は、前記容器本体から軸方向に離間されて、前記蓋と前記容器本体との間に隙間を形成する；
請求項１のたばこ容器。
【請求項１０】
前記第１側壁の遠位端は、前記蓋が前記ライナーに固定されるとき、前記上壁の内面に接触する；
請求項３のたばこ容器。
【請求項１１】
前記ライナーはプラスチック材料で形成され、前記蓋および前記容器本体は金属で形成される；
請求項４のたばこ容器。
【請求項１２】
前記第１の協働係止配置は、前記第１側壁の下側部の外面上に形成される少なくとも１つの半径方向外側に突出する突起と、前記第２側壁の半径方向内側に折り畳まれる端部とを含み；
前記第２の協働係止配置は、前記第３側壁内に形成される半径方向内側に突出するビードと、半径方向外側に突出する前記第１側壁の前記上部の外面の突起とを含む；
請求項１１のたばこ容器。
【請求項１３】
前記少なくとも１つの半径方向外側に突出する突起は、角度をつけて隔てられた複数の半径方向外側に突出する突起を含み、該突起間に角度を成す隙間が形成される；
請求項１２のたばこ容器。
【請求項１４】
前記第１側壁の前記下部の外面から半径方向外側に突出する少なくとも１つのリブを更に含み；
前記リブは前記第１側壁の少なくとも一部を前記第２側壁の相応する部分から隔てる；
請求項３のたばこ容器。
【請求項１５】
前記蓋が前記ライナーに結合されて前記容器が静止状態にあるとき、前記蓋は前記容器本体に接触しない；
請求項１のたばこ容器。
【請求項１６】
前記蓋が前記ライナーに結合されるとき、前記遠位端と前記上壁の前記内面とはシールを形成する；
請求項１０のたばこ容器。
【請求項１７】
前記ライナーと前記容器本体との結合は、軸方向において前記ライナーと前記蓋との結合よりも強く、前記容器本体を把持しながら前記蓋を前記ライナーから軸方向に取り外しても前記容器本体は前記ライナーから分離しない；
請求項１のたばこ容器。
【請求項１８】
前記第２の協働係止配置は、前記蓋と前記ライナーとの間にスナップフィット係合をもたらす；
請求項１２のたばこ容器。
【請求項１９】
閉端壁と該閉端壁から延びる環状の側壁とを含むライナー本体を備えるたばこ容器用のライナーであって；
容器蓋を前記ライナーに結合するための手段と；
容器底を前記ライナーに結合するための手段とを備え；
前記容器蓋を前記ライナーに結合するための手段は、前記容器底をライナーに結合するための手段とは独立している；
たばこ容器用のライナー。
【請求項２０】
前記容器蓋を前記ライナーに結合するための手段は、前記側壁の上部から外側に突出する少なくとも１つの第１リブであり；
前記容器底を前記ライナーに結合するための手段は、前記側壁の下部から外側に突出する少なくとも１つの第２リブであり；
前記少なくとも１つの第２リブは、前記閉端壁および前記少なくとも１つの第１リブから軸方向に離間されるとともに両者の軸方向の間に配置される；
請求項１９のたばこ容器用のライナー。
【発明の詳細な説明】
【技術分野】
【０００１】
本発明は一般に容器に関し、より詳細には無煙（smokeless）たばこ用の容器に関する。
【背景技術】
【０００２】
たばこ葉（loose tobaco）および同類のたばこ製品は、通常円盤状容器に詰めて販売されている。多くの場合、容器は、金属製、プラスチック製、またはボール紙製いずれかの缶に被せる金属蓋を備えている。多くの場合、帯状のラベルを蓋と缶の間の継ぎ目上に接着固定して蓋と缶をしっかりと固定している。帯状のラベルは、通常、製品の鮮度に対しても良い影響を与えるであろう。ラベルは、また一般的に、潜在顧客のための模様、画像、たばこ製品に関する情報を含んでいる。
【０００３】
従来、蓋は比較的平坦な天井部とそれを取り囲む裾部とを含む。裾部は切断エッジで終端されている。蓋がしばしば金属で形成される（プラスチック蓋も一般的である）ことを考慮すると、金属エッジは比較的鋭利になる恐れがある。鋭いエッジが適切に滑らかな状態に処理されなければ、容器の購入者は、エッジを把持して缶から蓋を外す際に指に裂傷を負う危険を冒すことになる。缶と蓋との接触部分には、缶から蓋を着脱し易くするために通常スナップフィット（snap fit）が設けられる。蓋と缶との接触部分は、通気性に影響を及ぼし、ひいてはその中に保管されるたばこ製品の鮮度にも影響を及ぼす。したがって、蓋と缶との接触部分は複合的な構成を採る可能性がある。
【０００４】
残念ながら、缶の部品を形成するためにプラスチックやボール紙を使用すると、缶の見栄えが安っぽく、あるいは貧弱になる。しかし、缶全体を金属で作ることにより、蓋を缶と結合することが難しくなり、蓋と缶との良好な繰り返し結合の提供が難しくなる。本発明は、技術水準の向上を指向する。
【発明の概要】
【発明が解決しようとする課題】
【０００５】
本発明は、独立的および個別的に、または他の態様と組み合わせて権利を要求し特許を受けられる幾つかの態様を有し、それらに限定しないが以下の態様および実施の形態を含む。
【０００６】
一実施の形態において、本発明は、蓋と容器本体とライナーとを備えるたばこ容器を提供する。ライナーは、蓋を容器本体に開放可能に結合する。蓋と容器本体の各々はライナーを受容し、ライナーに結合する。
【０００７】
好適な実施例では、蓋と容器本体は金属で形成される一方、ライナーは自立プラスチックで形成される。
【０００８】
さらに好適な実施例では、ライナーは容器本体と蓋とを互いに接触させることなく一体に結合する。
【０００９】
さらに別の実施の形態おいて、たばこ容器用のライナーは、ライナー本体と、容器蓋をライナーに結合するための手段と、容器本体をライナーに結合するための手段とを含むものとして設けられる。ライナー本体は、閉端壁および閉端壁から延びる環状の側壁を含む。容器蓋をライナーに結合するための手段は、容器本体をライナーに結合するための手段とは独立している。
【００１０】
本発明の他の実施の形態は、添付図面と共に以下の詳細な説明を理解することで、より明らかとなる。
【００１１】
本明細書に組み入れられ、本明細書の一部分を形成する添付図面は、本発明の複数の態様を例示し、記述とともに、本発明の原理の説明に資する。
【図面の簡単な説明】
【００１２】
【図１】図１は、本発明の教示に従うたばこ缶の実施の形態の一例を示す上面および前面の斜視図である。
【図２】図２は、図１のたばこ缶の分解斜視図である。
【図３】図３は、図１のたばこ缶の平面図である。
【図４】図４は、切断線４−４で切り取られた図３のたばこ缶の断面図である。
【図５】図５は、カバーとライナーとの係合を示す図４の断面図の部分拡大図である。
【図６】図６は、図１のたばこ缶のライナーの上面および前面の斜視図である。
【図７】図７は、切断線７−７で切り取られた図３のたばこ缶の分解断面図である。
【図８】図８は、容器本体とライナーとの相互関係を示す図４の断面図の部分拡大図である。
【図９】図９は、容器ライナーと結合された容器本体の側面図であり、この図は、前方、後方、他の側方からの図と同一である。
【図１０】図１０は、図９の容器ライナーと結合された容器本体の平面図である。
【図１１】図１１は、容器本体の底面図であり、容器本体が容器ライナーおよび／または容器蓋と結合された場合も同じ図となる。
【図１２】図１２は、容器ライナーおよび容器蓋と結合された容器本体の側面図であり、この図は、前方、後方、他の側方からの図と同一である。
【図１３】図１３は、図９の容器ライナーと結合された容器本体の斜視図である。
【発明を実施するための形態】
【００１３】
本発明は、特定の好ましい実施の形態と関連付けて説明するが、本発明をそれらの実施の形態に限定する意図はない。むしろ、特許請求の範囲に規定される本発明の精神および範囲に含まれる代替物、変形例および均等物全てを包括することを意図している。
【００１４】
図１を参照すると、容器１０が示されている。容器１０は、一般的に、噛みたばこ、または他の消費者用小売商品を収容するために用いられる。その際、容器１０は、消費者が容器を掌で楽に保持できて、容器をシャツのポケットやジーパンの後ポケットに収納できる全体寸法を有する。一般的に、これらのたばこ容器の機能を引き立てる大きさは、直径が約２〜３インチ（５０．４ｍｍ〜７６．２ｍｍ）で軸方向の厚さが約３／４〜１・１／４インチ（１９．１ｍｍ〜３１．８ｍｍ）であり、もっとも典型的には、直径がほぼ２・１／２インチ（６３．５ｍｍ）で軸方向の厚さがほぼ１インチ（２５．４ｍｍ）である。
【００１５】
容器１０は、例えば、色、画像や模様、ラベル、エンボス加工等のような容器の見栄えをより良くする特徴を含んでもよい。容器１０は、また、例えば、包装中に帯状の粘着ラベルによってしっかりと固定してもよい。ラベルが破られた後、容器１０を繰り返し開閉して、消費者が欲するたびごとに欲しいだけの量の容器１０に保管された中身を取り出せるようにすることができる。
【００１６】
図２に示すように、容器１０は、略円筒状容器本体１２（別称カップまたはベース）、蓋１４（別称カバー）、およびライナー１５の形態の挿入物で構成される３つの構成要素を含む。容器本体１２、蓋１４、およびライナー１５は、金属、プラスチック、ボール紙等の様々な異なった材料から、またはそれらの組合せによって適切に形成される。好ましい実施の形態では、容器本体１２と蓋１４は金属で形成される一方、ライナー１５はプラスチックで形成される。より好ましくは、ライナー１５が自立支持するように、ライナー１５はポリプロピレンのような十分な剛性を有するプラスチックから形成される。
【００１７】
図４を参照すると、例示の実施の形態では、蓋１４は比較的薄い金属片（例えば、シートメタル）から形成される。図示のように、蓋１４は、円形蓋上部１６と円形蓋上部１６から延びる円筒状の側壁２０の形態の裾部とを含む。裾部と蓋上部１６との接合部は、ライナー１５の先端の上端１９を受容する上部環状陥凹部を提供することができる肩部１８を形成する。例示の実施の形態では、蓋１４は、蓋上部１６と肩部１８と側壁２０とで形成される単一体である。蓋上部１６と側壁２０は、ライナー１５の上部を受容する蓋１４のキャビティ２２を概ね画成する。図４に示すように、蓋１４がライナー１５の上部に配置され、すなわち被せられる時、容器１０内に密閉された保管キャビティ２４が画成される。保管キャビティ２４には、消費者によって取り出されるまで製品が保管される。
【００１８】
一実施の形態では、ライナー１５の上端１９は蓋１４の内面２５と係合し、その間にシールを提供して容器１０内に保管される製品の鮮度の維持に役立つ。好ましい実施の形態では、蓋１４の内面は、金色のフェノール樹脂仕上げでコーティングされる。そうであっても、他の実施の形態では、他の種類のコーティングまたは仕上げをこれらの内側面に塗付および形成してもよい。
【００１９】
図３に示すように、蓋上部１６は、中心点２６から約１インチ（２５．４ｍｍ）から約１．５インチ（３８．１ｍｍ）の範囲に亘り概ね半径方向外側に拡がる。したがって、蓋１４は、約２インチ（５０．８ｍｍ）から約３インチ（７６．２ｍｍ）の範囲の直径２７を有する。例示の実施の形態では、蓋１４の直径２７は約２．５インチ（６３．５ｍｍ）である。
【００２０】
再び図４を参照すると、蓋上部１６は、互いに反対方向を向く内面２５および外面２８（すなわち、内側面と外側面）の双方を有する。蓋はシートメタルから形成されるので、内面２５と外面２８は互いに平行になる。図示されていないが、蓋上部１６は、エンボス加工された文字、数字、画像等（集合的に「キャラクタ」）を含んでもよい。エンボス加工されたキャラクタは、容器本体１２から上側に飛び出ても保管キャビティ２４側に引っ込んでもよい。その際、エンボス加工されたキャラクタは、約０．０１５インチ（０．３８１ｍｍ）以内の高さまたは深さのいずれかを有する。
【００２１】
側壁２０は、蓋上部１６の周囲に沿って蓋上部１６から下側に概ね直角に延びる。
【００２２】
更に図５を参照すると、側壁２０はビード（bead）３８および縁４０の双方を含む。ビード３８は、一般的に縁４０と肩部１８の間に配置される。ビード３８は、蓋上部１６の中心点２６に向かって半径方向内側に突出する。例示の実施の形態は縁４０およびビード３８の双方を含むが、代替の実施の形態は必ずしもこれらの構造を含む必要はない。
【００２３】
ビード３８は、蓋１４の側壁２０の全周を連続的に辿る。すなわち、ビード３８は蓋１４の周りに延在するので、ビードは途切れることなく連続する。そうであっても、他の実施の形態では、ビード３８は、側壁２０が離散的な位置で肩部１８から縁４０の下端５０のすぐ上までずっと平坦になるように、断続的に形成してもよい。かかる実施の形態では、容器１０の外側から見た場合、薄い支えつまり側壁２０の部分は内側に湾曲せずにその代わり平坦に見える。
【００２４】
縁４０は、大まかには、側壁の中間部５４に隣接して内側に折り畳まれる側壁２０の先端部５２である。換言すれば、先端部５２は蓋上部１６に向かって内側に丸められて、側壁２０の残りの部分の内面に接触またはほぼ接触している。例示の実施の形態では、先端部５２と中間部５４は互いに少し隔てて図示され、これら側壁の２つの部分間にはチャネル５６が形成される。例示の実施の形態では、縁４０は折り畳まれた金属片であるため、一般的には、縁を、ならしたり、研磨したり、バフ仕上げしたり、または他の機械仕上げを施すことにより終端切断エッジを取り除く必要はない。縁４０は、丸められて滑らかな下端５０を必然的に有することになる。上記のような他の仕上げに代わって、折り畳みにより蓋１４の下端５０において安全なエッジを形成することによって、蓋をより早くより簡単に、また経済的に製造することができる。
【００２５】
蓋１４の更なる特徴および態様は、２００７年２月２８日出願で、本願の譲渡人に譲渡される共同出願中の米国特許出願第１１／６８０，３３３号、発明の名称「たばこ缶用蓋」に記載されており、その教義と開示内容を参照して本明細書に組み込む。
【００２６】
図４，５を参照すると、例示の実施の形態では、容器本体１２は比較的薄い金属片（例えば、シートメタル）から形成される。図示のように、容器本体１２は、円形底５８と円形底５８から延びて実質的に円形底５８を取り囲む環状の側壁６０とを含む。例示の実施の形態では、容器本体１２は、円形底５８と環状の側壁６０とで形成される単一体である。円形底５８と側壁６０は、ライナー１５の底部を受容する容器本体１２のキャビティ６２を概ね画成する。
【００２７】
容器本体１２の円形底５８は、側壁６０から半径方向内側に配置される凹部６４を含む。
【００２８】
折返部（rolled over portion）６６は側壁６０の遠位端を形成する。折返部６６は、円形底５８の反対側の側壁６０の先端部分から形成される。折返部６６は、半径方向内側に丸められ、一般的には約０．０２５〜０．０６５インチ（０．６３５〜１．６５１ｍｍ）の範囲の、もっとも好ましくは約０．０５インチ（１．２７ｍｍ）の直径を有する。
【００２９】
図４〜６を参照すると、ライナー１５は、円形底６８と円形底６８から延びて円形底６８の周囲を取り囲む環状の側壁７０とを含む。側壁７０は、上部７２と下部７４とその間の中間部７６とを含む。上部７２は、傾斜した中間部７６によって下部７４に対して半径方向外側にオフセットしていて、下部７４の外面は上部７２の半径方向外側面に対して半径方向内側に奥まって位置する。
【００３０】
上部７２は、蓋１４によって、より詳細にはキャビティ２２内に受容される。下部７４は、容器本体１２によって、より詳細にはキャビティ６２内に受容される。
【００３１】
上部７２は、側壁７０の周囲を巡る半径方向外側に突出するリブ７８（別称ビード留め）を含む。一実施の形態では、リブ７８は、上部７２が離散的な位置で肩部１８から中間部７６まで上端部までずっと平坦になるように、断続的に形成される。したがって、リブ７８は、隙間８０を形成する角度をつけて隔てられた複数の部分（segments）を有する。これらの隙間８０は、蓋１４がライナー１５に固定される際に、蓋１４から空気を抜く補助をする。そうであっても、他の実施の形態では、リブ７８は途切れなく連続していてもよい。
【００３２】
下部７４は、容器１０の中心点２６を周りに角度を隔てて延在する複数の突起８２を含む。例示の実施の形態は、中心点２６の周りを角度をつけて隔てられた３つのかかる突起８２を含み、各突起間に隙間８５を形成する。そうであっても、他の実施の形態では、複数の突起８２は、側壁７０の周りを巡る１つの連続した突起で置き換えてもよい。
【００３３】
突起８２は、１５度から４５度の範囲の、好ましくは約３０度の角度βを成す底面８４を含む。突起は、円形底６８から軸方向に隔たる方向を向いている係止面８６をも含む。係止面８６は、容器本体１２の折返部６６と軸方向に係合し、容器本体１２をライナー１５に固定する。係止面８６は、側壁７０とほぼ直角でほぼ平面状であることが好ましい。係止面８６は、一般的に側壁７０の下部７４の外面から約０．０１〜０．０４インチ（０．２５４〜１．０１６ｍｍ）突出し、下部７４の外面から約０．０２〜０．０３インチ（０．５０８〜０．７６２ｍｍ）突出するのが好ましい。
【００３４】
更に、下部７４は、容器本体１２を側壁７０の外面から隔てるのを補助する１つ以上の軸方向に延在するリブ８８をオプションとして含むことにより、ライナー１５を容器本体１２のキャビティ６２内に挿入する際に空気を抜く排気口を提供することができる。
【００３５】
図６と図１３を参照すると、ライナー１５の内面は、側壁７０の上部７２および中間部７６から半径方向内側に突出する重ね合わせ防止用突起８９を更に含む。重ね合わせ防止用突起８９は、半径方向内側に突出して、保管または輸送中に２つ以上のライナーが一方の上に置かれる場合に２つのライナーが重なり合うのを防止する。
【００３６】
ライナー１５は、容器本体１２を蓋１４に直接接触させる必要なしに、容器本体１２を蓋１４に固定する。
【００３７】
折返部６６と複数の突起８２によって、容器本体１２をライナー１５の下部７４に固定するための第１の協働係止配置がもたらされる。折返部６６は、複数の突起８２の係止面８６と軸方向に係合してライナー１５の容器本体１２からの軸方向への離脱を防ぎ、または妨害する。
【００３８】
同様に、ビード３８とリブ７８によって、蓋１４をライナー１５の上部７２に固定するための第２の協働係止配置がもたらされる。ビード３８は、リブ７８と軸方向に係合して蓋１４のライナー１５からの軸方向への離脱を防ぎ、または妨害する。
【００３９】
ビード３８とリブ７８との係合は、蓋１４がライナー１５との間で固定および開放が繰り返しできるように、蓋１４のライナー１５への開放可能な固定を提供することが好ましい。これにより、消費者は、必要な時に容器１０を開けて製品をそこから取り出し、製品へのアクセスが終了したときに容器１０を閉じて中身を内部に保管することができる。
【００４０】
更に、蓋１４とライナー１５との固定は、容器本体１２とライナー１５との固定よりも低い軸負荷によって解除することができる。したがって、消費者が容器１０の容器本体１２を保持している状態で、消費者は、容器本体１２がライナー１５から離脱することなく、蓋１４を軸方向に引っ張って蓋１４を外すことができる。
【００４１】
側壁７０の上部７２は、いくつかの部分を含む。傾斜部分９０は、上端１９とリブ７８の間で軸方向に延在する。傾斜部分９０は、外面９１を有し、外面９１は、約５度から１５度の範囲の、好ましくは約７から８度の角度αで内面９２に対して傾斜している。内面９２は、蓋上部１６と円形底６８との間で直角に進む中心線と略平行であることが好ましい。傾斜部分９０の傾斜形状は、蓋１４をライナー１５に取り付け易くする。しかし、他の実施の形態では、傾斜部分は必ずしも含まれる必要はない。
【００４２】
延長部分９４は、側壁７０の中間部７６の端とリブ７８の下部との間で軸方向に延在する。延長部分９４は、一実施の形態では一定の厚さを有する。代替の実施の形態では、延長部分９４と傾斜部分９０は、その部分を別々の部分に分けるリブ７８を単に含む側壁７０の１つの連続して傾斜する部分に過ぎない。
【００４３】
中間部７６が含まれていることにより、上部７２は下部７４から半径方向にオフセットされる。中間部７６と突起８２は、両者の軸方向の間に、蓋１４がライナー１５に取り付けられる際に折返部６６を受容する逃げ領域９５を画成する。
【００４４】
容器本体１２とライナー１５とは、軸方向のずれが両者間で生じないように制限して係合することが好ましい。詳細には、容器１０を完全に組み立てた際に、ライナー１５は、容器本体１２に対して軸方向に動き得ないことが好ましい。
【００４５】
図７，８を参照すると、一実施の形態では、ライナー１５は、円形底６８の外面９７から軸方向に延びる圧縮へり９６を含む。圧縮へり９６は空間９３（別称キャビティ）を形成し、空間９３内には容器本体１２の円形底５８の凹部６４が軸方向に拡がる。
【００４６】
例示の実施の形態の圧縮へり９６は、環状ハブを形成する複数の部分から成る。一方で、圧縮へりの隣接する部分の間の隙間は、ライナー１５と容器本体１２が合体される際に空気を逃がす空気抜きを提供する。しかし、他の実施の形態では、圧縮へりは、１つの連続した切れ目のない部分で形成することもできる。更に、圧縮へりは必ずしも円形状である必要はなく、単に軸方向に延びて容器本体１２の底壁５８に接する複数の尖端または突起であってもよい。
【００４７】
図示のように、圧縮へり９６は、約０．０４インチ（１．０１６ｍｍ）から約０．１インチ（２．５４ｍｍ）の範囲の距離Ｄ１に亘り円形底６８の外面９７から軸方向に延びるが、他の長さであってもよい。更に、圧縮へり９６は円形底６８から延びるにつれて、幅の広い基部９８から幅の狭い先端９９に向かって先細になることが好ましい。先細形状は、圧縮へり９６のより着実な撓みをもたらし、圧縮へりが撓むほど圧縮へり９６の剛性が増す。
【００４８】
容器本体１２がライナー１５に結合されるとき、圧縮へり９６は円形底５８の内面に対して付勢され、少なくとも弾性的に変形することが好ましい。圧縮へり９６を弾性的に変形させることにより、突起８２の係合面８６は容器本体１２の折返部６６へ付勢される。一実施の形態では、圧縮へり９６によって与えられる付勢量、および折返部６６とライナー１５の側壁７０との係合の強さは、容器本体１２に対するライナー１５の回転を防止するのには十分である。「回転を防止する」の意味するところは、ユーザによる容器本体１２に対するライナー１５の全く単純な回転以上のもの、例えば２インチ・ポンド（０．２２６Ｎｍ）以上のトルクが、２つの構成要素間の相対回転を起こさせるのに必要であるということである。
【００４９】
図７を参照すると、組立前の状態において、突起８２の係合面８６と圧縮へり９６の遠位端との軸方向の距離Ｄ２は、折返部６６の円形底６８に軸方向で最も近い部分と圧縮へり９６が付勢される底壁６８の部分との軸方向の距離Ｄ３よりも大きい。
【００５０】
本明細書に引用した、刊行物、特許出願、特許を含むすべての引用文献は、各引用文献が引用によってあたかも個別かつ具体的に組み入れられるべく指定され、その全体がここに述べられているかのごとくに、引用によって同じ内容でここに組み入れる。
【００５１】
本発明の説明の文脈で（特に特許請求の範囲の文脈で）用いられる名詞及び同様な指示語の使用は、本明細書中で特に指摘したり、明らかに文脈と矛盾したりしない限り、単数および複数の両方に及ぶものと解釈される。語句「備える」、「有する」、「含む」および「包含する」は、特に断りのない限り、オープンエンドターム（すなわち「〜を含むが限定しない」という意味）として解釈される。本明細書中の数値範囲の具陳は、本明細書中で特に指摘しない限り、単にその範囲内に該当する各値を個々に言及するための略記法としての役割を果たすことだけを意図しており、各値は、本明細書中で個々に列挙されるかのように、明細書に組み込まれる。本明細書中で説明されるすべての方法は、本明細書中で特に指摘したり、明らかに文脈と矛盾したりしない限り、あらゆる適切な順番で行うことができる。本明細書中で使用するあらゆる例または例示的な言い回し（例えば「など」）は、特に主張しない限り、単に本発明をよりよく説明することだけを意図し、本発明の範囲に対する制限を設けるものではない。明細書中の如何なる言い回しも、本発明の実施に不可欠である、特許請求の範囲に記載されていない要素を示すものとは解釈されないものとする。
【００５２】
本明細書中では、発明を実施するため本発明者が知っている最良の形態を含め、本発明の好ましい実施の形態について説明している。当業者にとっては、上記説明を読んだ上で、これらの好ましい実施の形態の変形が明らかとなろう。本発明者は、熟練者がこのような変形を適宜用いるであろうことを予期し、本発明が本明細書中で具体的に説明される以外の方法で実施されることを意図している。したがって本発明は、準拠法で許されているように、本明細書に添付された請求項に記載の主題の修正および均等物をすべて含む。さらに、本明細書中で特に指摘したり、明らかに文脈と矛盾したりしない限り、すべての考えられる変形における上記要素のいずれの組合せも本発明に包含される。
【図１】
2011527271.tif 000003
【図２】
2011527271.tif 000004
【図３】
2011527271.tif 000005
【図４】
2011527271.tif 000006
【図５】
2011527271.tif 000007
【図６】
2011527271.tif 000008
【図７】
2011527271.tif 000009
【図８】
2011527271.tif 000010
【図９】
2011527271.tif 000011
【図１０】
2011527271.tif 000012
【図１１】
2011527271.tif 000013
【図１２】
2011527271.tif 000014
【図１３】
2011527271.tif 000015
【国際調査報告】
2011527271.tif 000016
2011527271.tif 000017